(57)【要約】【課題】複数の自己共振周波数を持ち、単一でも広帯域に使用可能な巻線型インダクタの実現。【解決手段】銅線１２の表面に、ポリエステル、ポリウレタン等の高分子絶縁材料より成る絶縁被膜１４を形成した導線１６を、誘電体セラミックや、フェライト等の磁性材料より成る円錐状のコア１８の巻線部２０外周面に巻回し、上記導線１６の両端に、上記絶縁被膜１４を剥離して銅線１２を露出させて成る端子部２２を形成した巻線型インダクタ１０。上記コア１８は、円錐状のみならず、角錐状であっても良い。【選択図】　　　　図１
2004006695.tif 000002
【特許請求の範囲】
【請求項１】
コアの巻線部の外周面に導線を巻回して成る巻線型インダクタであって、上記巻線部に、他の部分と径の異なる部分を少なくとも１箇所以上形成したことを特徴とする巻線型インダクタ。
【請求項２】
上記コアが磁性材料で構成されていると共に、上記導線が、導電性線材の表面に絶縁被膜を形成して構成されていることを特徴とする請求項１に記載の巻線型インダクタ。
【請求項３】
上記巻線部が、円錐状又は角錐状と成されていることを特徴とする請求項１又は２に記載の巻線型インダクタ。
【請求項４】
導線を複数回巻回して形成した巻回部を有する巻線型インダクタであって、上記巻回部に、他の部分と径の異なる部分を少なくとも１箇所以上形成したことを特徴とする巻線型インダクタ。
【請求項５】
上記巻回部が、円錐状又は角錐状と成されていることを特徴とする請求項４に記載の巻線型インダクタ。
【発明の詳細な説明】
【０００１】
【発明の属する技術分野】
この発明は、チョークコイル等として使用される巻線型インダクタに係り、特に、広帯域特性に優れた巻線型インダクタに関する。
【０００２】
【従来の技術】
図９及び図１０は、従来使用されている巻線型インダクタの一例を示すものであり、この巻線型インダクタ６０は、銅線６２の表面にポリエステル、ポリウレタン等の高分子絶縁材料より成る絶縁被膜６４を形成した導線６６を、誘電体セラミックや、フェライト等の磁性材料より成る円柱状のコア６８の外周面に巻回して成る。また、導線６６の両端は、上記絶縁被膜６４を剥離して銅線６２を露出させることにより、端子部７０と成されている。
【０００３】
【発明が解決しようとする課題】
上記従来の巻線型インダクタ６０にあっては、コア６８が円柱状であり、該コア６８に巻回された導線６６の巻線径はどの部分でも一定となるため、一つの自己共振周波数だけを持つこととなる。
【０００４】
その結果、図１１のグラフに示すように、従来の巻線型インダクタ６０は、その自己共振周波数においてインピーダンスが最大となり、上記自己共振周波数以上の周波数ではインピーダンスが急激に低下し、インダクタとしての機能を発揮しなくなるため、単一の巻線型インダクタ６０では、広帯域において使用することはできなかった。
【０００５】
このため従来は、図１２のグラフに示す如く、自己共振周波数の異なる複数個の巻線型インダクタ６０ａ，６０ｂ，６０ｃ，６０ｄを直列接続することにより、図１２のグラフの実線部分で示すような広帯域で使用可能なインダクタを構成せざるを得なかった。
【０００６】
本発明は、従来の上記問題を解決するために案出されたものであり、その目的とするところは、複数の自己共振周波数を持ち、単一でも広帯域に使用可能な巻線型インダクタの実現にある。
【０００７】
【課題を解決するための手段】
上記の目的を達成するために、本発明に係る巻線型インダクタにあっては、コアの巻線部の外周面に導線を巻回して成る巻線型インダクタにおいて、上記巻線部に、他の部分と径の異なる部分を少なくとも１箇所以上形成したことを特徴とする。
上記コアはフェライト等の磁性材料で構成することができ、また、上記導線は、銅線等の導電性線材の表面に絶縁被膜を形成して構成することができる。
【０００８】
本発明に係る巻線型インダクタにあっては、コアの巻線部に、他の部分と径の異なる部分を少なくとも１箇所以上形成したので、径の異なる部分に巻回された導線の巻線径と、それ以外の部分に巻回された導線の巻線径とが相違し、複数の自己共振周波数を持つこととなる。その結果、単一の巻線型インダクタでありながら、広帯域において使用することが可能となる。
【０００９】
上記コアの巻線部は、円錐状又は角錐状と成すのが望ましい。
このように、コアの巻線部を円錐状又は角錐状にした場合、該巻線部に巻回された導線の巻線径は、その一端から他端に向かって徐々に小さく、又は大きくなっていくことから、広い周波数帯域に亘って連続的に多数の自己共振周波数を持つこととなり、単一の巻線型インダクタでありながら、広帯域において使用することができる。
【００１０】
また、本発明に係る他の巻線型インダクタは、導線を複数回巻回して形成した巻回部を有する巻線型インダクタであって、上記巻回部に、他の部分と径の異なる部分を少なくとも１箇所以上形成したことを特徴とする。
【００１１】
本発明に係る他の巻線型インダクタは、導線を複数回巻回して形成した巻回部に、他の部分と径の異なる部分を少なくとも１箇所以上形成したので、径の異なる部分の導線の巻線径と、それ以外の部分の導線の巻線径とが相違し、複数の自己共振周波数を持つこととなる。その結果、単一の巻線型インダクタでありながら、広帯域において使用することが可能となる。
【００１２】
上記巻回部は、円錐状又は角錐状と成すのが望ましい。
このように、導線の巻回部を円錐状又は角錐状にした場合、巻回部の導線の巻線径は、その一端から他端に向かって徐々に小さく、又は大きくなっていくことから、広い周波数帯域に亘って連続的に多数の自己共振周波数を持つこととなり、単一の巻線型インダクタでありながら、広帯域において使用することができる。
【００１３】
【発明の実施の形態】
図１乃至図３に示すように、本発明に係る第１の巻線型インダクタ１０は、銅線１２の表面にポリエステル、ポリウレタン等の高分子絶縁材料より成る絶縁被膜１４を形成した導線１６を、誘電体セラミックや、フェライト等の磁性材料より成る円錐状のコア１８の巻線部２０外周面に巻回して成る。
また、導線１６の両端は、上記絶縁被膜１４を剥離して銅線１２を露出させることにより、端子部２２と成されている。
【００１４】
本発明の第１の巻線型インダクタ１０にあっては、上記の通り、コア１８の巻線部２０が、その一端（図１の右端）から他端（図１の左端）に向かって徐々に直径が小さくなっていく円錐状と成されているので、該巻線部２０に巻回された導線１６の巻線径も、一端（図１の右端）から他端（図１の左端）に向かって徐々に小さくなっていく。
【００１５】
このように、本発明の第１の巻線型インダクタ１０においては、巻線部２０に巻回された導線１６の巻線径が、一端（図１の右端）から他端（図１の左端）に向かって徐々に小さくなっていくことから、図４のグラフに示す通り、広い周波数帯域に亘って連続的に多数の異なる自己共振周波数を持つこととなり、従って、単一の巻線型インダクタ１０でありながら、広帯域において使用することができる。
図５は、本発明の第１の巻線型インダクタ１０の１０ＭＨｚ〜４００００ＭＨｚ迄の周波数帯域における挿入損失特性を示すグラフであり、単一の巻線型インダクタ１０でありながら、広い周波数帯域に亘ってインダクタとしての実用的な特性を発揮している。
【００１６】
上記第１の巻線型インダクタ１０の寸法は、例えば、コア１８の巻線部２０の最大直径が１ｍｍ、長さが２ｍｍ、導線１６の直径が０．０５ｍｍと成され、この場合、上記導線１６の巻回数を４０回としたときのインダクタンスＬは１μＨであった。
【００１７】
尚、コア１８の巻線部２０の形状は、上記した円錐状だけに限定されるものではなく、角錐状であっても良い。
さらに、複数の自己共振周波数を持った巻線型インダクタとするためには、導線１６の巻回されるコア１８の巻線部２０に、他の部分と径の異なる部分が少なくとも１箇所以上形成されていれば良い。
【００１８】
図６乃至図８は、本発明に係る第２の巻線型インダクタ３０を示すものであり、この第２の巻線型インダクタ３０は、コアを持たない空心タイプのインダクタである。
上記第２の巻線型インダクタ３０は、銅線３２の表面にポリエステル、ポリウレタン等の高分子絶縁材料より成る絶縁被膜３４を形成した導線３６を、複数回巻回して成る巻回部３８と、上記導線３６の両端の絶縁被膜３４を剥離して銅線３２を露出させることにより形成した端子部４０とを有している。
上記巻回部３８は、その一端（図６の右端）から他端（図６の左端）に向かって徐々に直径が小さくなっていく円錐状と成されている。
【００１９】
上記第２の巻線型インダクタ３０は、例えば、円錐形状の芯材（図示せず）に導線３６を所定回数巻回して巻回部３８を形成した後、芯材を除去し、その後、導線３６の両端の絶縁被膜３４を剥離して端子部４０を形成することにより製造することができる。
【００２０】
上記の通り、本発明の第２の巻線型インダクタ３０においては、導線３６の巻回部３８が円錐状と成されているので、巻回部３８の導線３６の巻線径は、その一端（図６の右端）から他端（図６の左端）に向かって徐々に直径が小さくなっていき、図４のグラフに示す如く、広い周波数帯域に亘って連続的に多数の異なる自己共振周波数を持つこととなる。従って、単一の巻線型インダクタ３０でありながら、広帯域において使用することができる。
【００２１】
尚、導線３６の巻回部３８の形状は、上記した円錐状だけに限定されるものではなく、角錐状であっても良い。
さらに、複数の自己共振周波数を持った巻線型インダクタとするためには、導線３６の巻回部３８に、他の部分と径の異なる部分が少なくとも１箇所以上形成されていれば良い。
【００２２】
コアを持たない空心タイプの第２の巻線型インダクタ３０は、コア１８を持つ第１の巻線型インダクタ１０に比べて、部品点数が少なく経済的である。
一方、コア１８を持つ第１の巻線型インダクタ１０は、コアを持たない空心タイプの第２の巻線型インダクタ３０に比べて、機械的強度が大きいという利点を有している。すなわち、第２の巻線型インダクタ３０のように、空心タイプのインダクタは、外力が加えられると、導線３６の巻回部３８が変形するおそれが大きいが、第１の巻線型インダクタ１０は、導線１６をコア１８の外周面に巻回しているので、外力が加わっても、上記コア１８によって導線１６の変形が防止される。尚、第１の巻線型インダクタ１０のコア１８を、フェライト等の磁性材料で構成した場合には、透磁率が大きくなるため大きな挿入損失が得られ、アイソレーション特性等の周波数特性が向上する。
尚、空心タイプの第２の巻線型インダクタ３０の場合、ワックス、エポキシ樹脂等の含浸材中に浸漬する等して、巻回部３８の導線３６間に含浸材を充填して固定することにより、第２の巻線型インダクタ３０の機械的強度を向上させることができる。
【００２３】
【発明の効果】
本発明に係る巻線型インダクタにあっては、コアの巻線部に、他の部分と径の異なる部分を少なくとも１箇所以上形成したので、径の異なる部分に巻回された導線の巻線径と、それ以外の部分に巻回された導線の巻線径とが相違し、複数の自己共振周波数を持つこととなる。その結果、単一の巻線型インダクタでありながら、広帯域において使用することができる。
【００２４】
また、本発明に係る他の巻線型インダクタにあっては、導線を複数回巻回して形成した巻回部に、他の部分と径の異なる部分を少なくとも１箇所以上形成したので、径の異なる部分の導線の巻線径と、それ以外の部分の導線の巻線径とが相違し、複数の自己共振周波数を持つこととなる。その結果、単一の巻線型インダクタでありながら、広帯域において使用することが可能となる。
【図面の簡単な説明】
【図１】本発明に係る第１の巻線型インダクタの正面図である。
【図２】図１のＢ−Ｂ断面図である。
【図３】図１のＣ−Ｃ断面図である。
【図４】本発明に係る巻線型インダクタのインピーダンス特性を示すグラフである。
【図５】本発明に係る第１の巻線型インダクタの挿入損失特性を示すグラフである。
【図６】本発明に係る第２の巻線型インダクタの正面図である。
【図７】図６のＤ−Ｄ断面図である。
【図８】図６のＥ−Ｅ断面図である。
【図９】従来の巻線型インダクタを示す正面図である。
【図１０】図９のＡ−Ａ断面図である。
【図１１】従来の巻線型インダクタのインピーダンス特性を示すグラフである。
【図１２】従来の巻線型インダクタを複数個直列接続した場合のインピーダンス特性を示すグラフである。
【符号の説明】
１０　第１の巻線型インダクタ
１２　銅線
１４　絶縁被膜
１６　導線
１８　コア
２０　巻線部
２２　端子部
３０　第２の巻線型インダクタ
３２　銅線
３４　絶縁被膜
３６　導線
３８　巻回部
４０　端子部
【図１】
2004006695.tif 000003
【図２】
2004006695.tif 000004
【図３】
2004006695.tif 000005
【図４】
2004006695.tif 000006
【図５】
2004006695.tif 000007
【図６】
2004006695.tif 000008
【図７】
2004006695.tif 000009
【図８】
2004006695.tif 000010
【図９】
2004006695.tif 000011
【図１０】
2004006695.tif 000012
【図１１】
2004006695.tif 000013
【図１２】
2004006695.tif 000014